(57)【要約】【課題】本発明は、簡易な構成で２種類の充電電圧を生成して充電できるようにする。【解決手段】本発明は、外部機器となる携帯電話機ＭＰが接続された場合、複数のシリコンダイオードＤ１〜Ｄ４による負荷及び内蔵２次電池３１の負荷に応じて決まる第１充電電圧Ａにより携帯電話機ＭＰを充電するのに対し、携帯電話機ＭＰが接続されていない場合、内蔵２次電池３１だけの負荷に応じて決まる第２充電電圧Ｖ２Ｂにより電界効果トランジスタＦＥＴを介して当該内蔵２次電池３１を充電するように切り換えることができるので、簡易な構成で２種類の充電電圧を生成して充電制御することができる。【選択図】図５
2007330024.tif 000002
【特許請求の範囲】
【請求項１】
電子機器に設けられた発電機と、
上記発電機に接続された整流回路と、
上記整流回路の出力によって充電される２次電池と、
上記電子機器と外部機器とを接続するための外部機器接続端子と、
上記外部機器接続端子と上記２次電池との間に接続されたスイッチング素子と、
上記外部機器接続端子と上記２次電池との間で直列接続された複数のダイオードと、
上記外部機器接続端子を介して上記外部機器が接続された場合、上記複数のダイオードによる負荷及び上記２次電池の負荷に応じて決定される第１充電電圧により上記外部機器を充電し、上記外部機器接続端子を介して上記外部機器が接続されていない場合、上記２次電池の負荷だけに応じて決定される第２充電電圧により上記スイッチング素子を介して当該２次電池を充電するように切り換える切換回路と
を具えることを特徴とする充電装置。
【請求項２】
上記２次電池は、上記発電機に対する高速度の手回し操作によって発電されたときの上記第２充電電圧を所定レベルに抑制するリミッターの役割を担う
ことを特徴とする請求項１に記載の充電装置。
【請求項３】
上記スイッチング素子は、電界効果トランジスタである
ことを特徴とする請求項１に記載の充電装置。
【請求項４】
上記発電機は、手回し発電用の発電機である
ことを特徴とする請求項１に記載の充電装置。
【発明の詳細な説明】
【技術分野】
【０００１】
本発明は、充電装置に関し、例えば手巻き回転操作による自家発電可能な携帯型ラジオ等の電子機器に適用して好適なものである。
【背景技術】
【０００２】
従来、自家発電可能な携帯型ラジオにおいては、ハンドルに対する回転操作により発電器を介して本体ケース内の蓄電池を充電することが出来ることに加えて、接続コードを介して接続された携帯電話機のバッテリに対しても充電することが出来るようになされたものがある（例えば、特許文献１参照）。
【特許文献１】実用新案登録第3093545号公報
【発明の開示】
【発明が解決しようとする課題】
【０００３】
ところでかかる構成の自家発電可能な携帯型ラジオにおいては、本体ケース内の蓄電池を充電する際の充電電圧（約２．４Ｖ）と、外部接続された携帯電話機のバッテリを充電する際の充電電圧（約４Ｖ〜５Ｖ）とが異なっているため、自家発電により発生させた電圧を抵抗分割によって分圧したり、或いは昇圧回路を用いて昇圧することにより、２種類の充電電圧に対応させるようにしているが、抵抗分割による分圧は効率が悪く、昇圧はＤＣ−ＤＣコンバータを必要とする等の構成が複雑になるという問題があった。
【０００４】
本発明は以上の点を考慮してなされたもので、簡易な構成で２種類の充電電圧を生成して充電し得る充電装置を提案しようとするものである。
【課題を解決するための手段】
【０００５】
かかる課題を解決するため本発明においては、電子機器に設けられた発電機と、発電機に接続された整流回路と、整流回路の出力によって充電される２次電池と、電子機器と外部機器とを接続するための外部機器接続端子と、外部機器接続端子と２次電池との間に接続されたスイッチング素子と、外部機器接続端子と２次電池との間で直列接続された複数のダイオードと、外部機器接続端子を介して外部機器が接続された場合、複数のダイオードによる負荷及び２次電池の負荷に応じて決定される第１充電電圧により外部機器を充電し、外部機器接続端子を介して外部機器が接続されていない場合、２次電池の負荷だけに応じて決定される第２充電電圧によりスイッチング素子を介して当該２次電池を充電するように切り換える切換回路とを設けるようにする。
【０００６】
これにより、外部機器が接続された場合、複数のダイオードによる負荷及び２次電池の負荷に応じて決まる第１充電電圧よりも昇圧された第２充電電圧により外部機器を充電するのに対し、外部機器が接続されていない場合、２次電池の負荷によってのみ決まる第２充電電圧によりスイッチング素子を介して当該２次電池を充電するように切り換えることができるので、簡易な構成で２種類の充電電圧を生成して２次電池又は外部機器を充電することができる。
【発明の効果】
【０００７】
本発明によれば、外部機器が接続された場合、複数のダイオードによる負荷及び２次電池の負荷に応じて決まる第１充電電圧よりも昇圧された第２充電電圧により外部機器を充電するのに対し、外部機器が接続されていない場合、２次電池の負荷によってのみ決まる第２充電電圧によりスイッチング素子を介して当該２次電池を充電するように切り換えることができるので、簡易な構成で２種類の充電電圧を生成して２次電池又は外部機器を充電することができるので、簡易な構成で２種類の充電電圧を生成して２次電池又は外部機器を充電制御し得る充電装置を実現することができる。
【発明を実施するための最良の形態】
【０００８】
以下、図面について、本発明の一実施の形態を詳述する。
【０００９】
（１）手動発電機付きラジオ受信機の全体構成
図１において１は全体として本実施の形態における手動発電機付きラジオ受信機を示し、略直方体形状でなる本体部２の正面上方にラジオ選局用の表示部２Ａが設けられると共に、その下方右側にスピーカＳＰが設けられ、下方左側には内蔵された発電機により充電を行うための引き出し式充電用ハンドル３（以下、これを単に充電用ハンドル３と呼ぶ）が設けられている。
【００１０】
また手動発電機付きラジオ受信機１では、本体部２の右側面上端部に選局ダイヤル４が設けられると共に、右側下端部に音量ダイヤル５が設けられ、更に右側中央部に電源・バンドスイッチ６が設けられている。
【００１１】
この電源・バンドスイッチ６は、ラジオオフ状態でかつ外部接続される携帯電話機に対する充電可能状態を示す「ラジオ切（携帯充電）」位置と、ＡＭラジオ又はＦＭラジオにバンドを切り換えるための「ＡＭ」位置及び「ＦＭ」位置とを有し、自在に切り換えられるように設定されている。
【００１２】
さらに手動発電機付きラジオ受信機１は、本体部２の上端部左側部分にライト切換スイッチ７が設けられており、「ソフト」位置に切換スイッチ７が切換えられたときは、上端部のソフトライト８を点灯させ、「スポット」位置に切換えられたときは、左側端部上方に設けられたスポットライト９を点灯させるようになされている。
【００１３】
一方、図２に示すように手動発電機付きラジオ受信機１は、本体部２の背面側において、上端部にロッドアンテナＡＮＴが当該本体部２の長手方向へ沿うように取り付けられており、必要に応じて引き出されるようになされている。
【００１４】
また手動発電機付きラジオ受信機１は、その本体部２の背面側における左側下方に乾電池を取り付けるための乾電池収納室１０が設けられていると共に、充電用ハンドル３の回転操作によって充電される内蔵２次電池（図示せず）によってラジオ機能をオン状態に設定させるときと、若しくは乾電池によってラジオ機能をオン状態に設定させるときとを切換えるための電源切換スイッチ１１が設けられている。
【００１５】
従って手動発電機付きラジオ受信機１では、この電源切換スイッチ１１を介して「乾電池」位置に切り換えられた場合、乾電池収納室１０の乾電池から供給される電力によって動作し、「充電池（手回し充電）」位置に切り換えられた場合、内蔵２次電池から供給される電力によって動作するようになされている。
【００１６】
なお手動発電機付きラジオ受信機１は、「充電池（手回し充電）」位置に切り換えられた場合であって、本体部２に対して携帯電話機が外部接続された場合、充電用ハンドル３の回転操作に応じて当該携帯電話機のバッテリを充電し得、本体部２に対して携帯電話機が外部接続されていない場合、充電用ハンドル３の回転操作に応じて内蔵２次電池を充電し得るようになされている。
【００１７】
さらに手動発電機付きラジオ受信機１は、スポットライト９の下方に端子カバー１２が取り付けられており、その端子カバー１２の内側に外部接続される携帯電話機を充電するための携帯充電端子とイヤホン端子とが設けられている。
【００１８】
ここで図３に示すように手動発電機付きラジオ受信機１では、充電用ハンドル３が矢印Ａ方向へ引き起こされた後、ユーザの指先でつまみ３Ａが保持され、矢印Ｂ方向又は矢印Ｃ方向へ手動で回転操作されることにより、本体部２の内蔵２次電池や外部接続される携帯電話機のバッテリを充電し得るようになされている。
【００１９】
特に、手動発電機付きラジオ受信機１は、図４に示すように、外部の携帯電話機ＭＰと接続する際、接続手段として用いられるプラグ付コード２３の一方にある接続プラグ２３Ａを端子カバー１２の内側にある外部機器接続端子としての携帯充電端子Ｔ２に差込み、他方にある充電プラグアダプタ２３Ｂを携帯電話機ＭＰの充電端子に差込むことにより、当該携帯電話機ＭＰに対して充電電流をプラグ付コード２３経由で流し込むようになされている。
【００２０】
因みにプラグ付コード２３の他方に設けられた充電プラグアダプタ２３Ｂは、携帯電話機の種類に対応して交換することが可能であり、端末の種類やキャリアに拘わらず充電することが出来るように考慮されている。
【００２１】
実際上、手動発電機付きラジオ受信機１では、プラグ付コード２３を介して携帯電話機ＭＰと電気的に接続した後、電源・バンドスイッチ６（図１）を「ラジオ切（携帯充電）」位置に合わせてラジオ機能をオフ状態に設定すると共に、電源切換スイッチ１１を「充電池（手回し充電）」位置に合わせて、携帯電話機ＭＰのバッテリを充電し得るようになされている。
【００２２】
因みに、手動発電機付きラジオ受信機１は、本体部２の内蔵２次電池を充電する場合、電源・バンドスイッチ６（図１）を「ＡＭ」バンド位置又は「ＦＭ」バンド位置に合わせてラジオ機能をオン状態に設定すると共に、電源切換スイッチ１１を「充電池（手回し充電）」位置に合わせて、内蔵２次電池を充電し得るようになされている。
【００２３】
（２）手動発電機付きラジオ受信機の回路構成
図５に示すように手動発電機付きラジオ受信機１は、充電用ハンドル３（図１）と接続された発電機ＧＥＮから供給される３相の交流電圧を、整流ダイオードＤ１１及びノイズ除去用コンデンサＣ１１からなる第１の整流素子、整流ダイオードＤ１２及びノイズ除去用コンデンサＣ１２からなる第２の整流素子、整流ダイオードＤ１３及びノイズ除去用コンデンサＣ１３からなる第３の整流素子、整流ダイオードＤ１４及びノイズ除去用コンデンサＣ１４からなる第４の整流素子、整流ダイオードＤ１５及びノイズ除去用コンデンサＣ１５からなる第５の整流素子、整流ダイオードＤ１６及びノイズ除去用コンデンサＣ１６からなる第６の整流素子がブリッジ接続された３相全波整流回路３２へ供給する。
【００２４】
３相全波整流回路３２は、発電機ＧＥＮから供給される３相の交流電流を第１の整流素子〜第６の整流素子によって直流電圧に変換し、直流阻止用に設けられたカップリングコンデンサＣ１を介して出力し得るようになされている。
【００２５】
ここで本体部２に内蔵されているニッケル水素の内蔵２次電池３１（例えば使用電圧Ｖ０＝２．４[V]）は、ラジオ接続端子Ｔ１及びグランド間に端子Ｔ３及びＴ４を介して接続され、かつ当該端子Ｔ１及びスイッチ回路ＳＷ１のスイッチＳＷ１Ａを介してラジオ受信機ＲＪに接続されている。
【００２６】
このスイッチ回路ＳＷ１は、本体部２の電源・バンドスイッチ６における切換え操作に連動して動作するようになされており、その電源・バンドスイッチ６が「ＡＭ」位置又は「ＦＭ」位置に合わせられた場合、スイッチＳＷ１Ａがオン状態になり、電源・バンドスイッチ６が「ラジオ切（携帯充電）」位置に合わせられた場合、スイッチＳＷ１Ａがオフ状態に切換えられる。
【００２７】
従って手動発電機付きラジオ受信機１は、スイッチ回路ＳＷ１のスイッチＳＷ１Ａがオン状態に接続されると、内蔵２次電池３１から供給される電力に基づいてラジオ受信機ＲＪを動作させ、当該ラジオ受信機ＲＪによってアンテナＡＮＴから受信した放送信号を復調及び復号した後、ラジオ番組の音声としてスピーカＳＰから出力するようになされている。
【００２８】
また手動発電機付きラジオ受信機１では、携帯充電端子Ｔ２及びラジオ接続端子Ｔ１間に、電界効果トランジスタＦＥＴ及び逆流防止用ダイオードＤ０が直列接続され、携帯充電端子Ｔ２及びグランド間にバイポーラトランジスタＴＲが接続され、かつ電界効果トランジスタＦＥＴのゲートとバイポーラトランジスタＴＲのコレクタとが接続されている。
【００２９】
因みに、電界効果トランジスタＦＥＴにはゲート抵抗Ｒ１が接続され、バイポーラトランジスタＴＲにはベース抵抗Ｒ２が接続されており、電界効果トランジスタＦＥＴ及びバイポーラトランジスタＴＲを安定動作させるようになされている。
【００３０】
さらに手動発電機付きラジオ受信機１では、携帯充電端子Ｔ２及びラジオ接続端子Ｔ１間に、シリコンダイオードＤ１〜Ｄ４が直列接続されており、その結果、電界効果トランジスタＦＥＴ及び逆流防止用ダイオードＤ０と、シリコンダイオードＤ１〜Ｄ４とが携帯充電端子Ｔ２及びラジオ接続端子Ｔ１間で互いに並列接続された関係を有している。
【００３１】
このシリコンダイオードＤ１〜Ｄ４は、発電すると携帯充電端子Ｔ２及びラジオ接続端子Ｔ１間でそれぞれに順方向電圧ＶＦ１〜ＶＦ４（例えば０．６[V]）が生じるので、合計約２．４[V]の電圧降下が携帯充電端子Ｔ２及びラジオ接続端子Ｔ１間に発生する。
【００３２】
なおバイポーラトランジスタＴＲは、そのベースがスイッチ回路ＳＷ２のオン端子と接続されており、スイッチ回路ＳＷ２がオン状態のとき、バイポーラトランジスタＴＲがオフ状態になると共に電界効果トランジスタＦＥＴがオフ状態になり、スイッチ回路ＳＷ２がオフ状態のとき、バイポーラトランジスタＴＲがオン状態になると共に電界効果トランジスタＦＥＴがオン状態になる。
【００３３】
手動発電機付きラジオ受信機１は、電源・バンドスイッチ６（図１）が「ラジオ切（携帯充電）」バンド位置に合わせられ、電源切換スイッチ１１が「充電池（手回し充電）」位置に合わせられた場合、スイッチ回路ＳＷ１のスイッチＳＷ１Ａがオフ状態となり、ここでスイッチ回路ＳＷ２がオン状態になると、バイポーラトランジスタＴＲ及び電界効果トランジスタＦＥＴが共にオフ状態になり、シリコンダイオードＤ１〜Ｄ４による負荷及び内蔵２次電池３１の負荷に応じて携帯電話機ＭＰに対する第１充電電圧Ｖ２Ａが決まる。
【００３４】
この場合、手動発電機付きラジオ受信機１では、次式
【００３５】
【数１】
2007330024.tif 000003
【００３６】
によって、約４．８[V]の第１充電電圧Ｖ２Ａが携帯充電端子Ｔ２から出力されるようになされている。
【００３７】
この場合、手動発電機付きラジオ受信機１は、携帯充電端子Ｔ２からプラグ付コード２３を介して接続される携帯電話機ＭＰのバッテリ（充電電圧４[V]）に対して、携帯充電端子Ｔ２から第１充電電圧Ｖ２Ａに応じた充電電流を流し込むことにより充電し得るようになされている。
【００３８】
これに対して手動発電機付きラジオ受信機１は、電源・バンドスイッチ６（図１）が「ＡＭ」位置又は「ＦＭ」位置に合わせられ、電源切換スイッチ１１が「充電池（手回し充電）」位置に合わせられた状態で、充電用ハンドル３がユーザによってハンドル操作されると内蔵２次電池３１を充電するようになされている。
【００３９】
この場合、手動発電機付きラジオ受信機１のスイッチ回路ＳＷ１では、スイッチＳＷ１Ａがオン状態に接続されることになり、その結果スイッチＳＷ１Ｂがオン状態で、さらにスイッチ回路ＳＷ２がオフ状態となると、バイポーラトランジスタＴＲ及び電界効果トランジスタＦＥＴが共にオン状態へ切り換わる。
【００４０】
従って手動発電機付きラジオ受信機１は、逆流防止ダイオードＤ０及び内蔵２次電池３１の負荷に応じて当該内蔵２次電池３１に対する第２充電電圧Ｖ２Ｂが決まり、その第２充電電圧Ｖ２Ｂに応じた充電電流を内蔵２次電池３１に流し込むことにより充電し得るようになされている。
【００４１】
実際には、充電用ハンドル３が高速に回転操作されたとしても、内蔵２次電池３１の仕様により当該内蔵２次電池３１の電圧レベルが最大３[V]程度までしか上昇することがないので、逆流防止ダイオードＶ０の順方向電圧Ｖ０（０．６[V]）と合わせても約３．６[V]程度の第２充電電圧Ｖ２Ｂが携帯充電端子Ｔ２及びラジオ接続端子Ｔ１間に発生するに留まり、携帯充電端子Ｔ２を介して接続された携帯電話機ＭＰのバッテリ（充電電圧４[V]）を優先して充電することはなく、内蔵２次電池３１を充電し得るようになされている。
【００４２】
このように手動発電機付きラジオ受信機１は、結果的に、内蔵２次電池３１をリミッターとして用いることになり、充電用ハンドル３がユーザによって高速度に回転操作されたとしても、携帯充電端子Ｔ２及びラジオ接続端子Ｔ１間に発生する第２充電電圧Ｖ２Ｂを所定電圧レベル以下に抑え得るようになされている。
【００４３】
このとき手動発電機付きラジオ受信機１は、あたかも図６に示すように、電源Ｐに対してダイオードＤ０及び内蔵２次電池３１が直列接続された回路と等価になり、電源Ｐから逆流防止ダイオードＤ０及び内蔵２次電池３１によって決まる第２充電電圧Ｖ２Ｂに応じた充電電流により内蔵２次電池３１を充電する。
【００４４】
一方、手動発電機付きラジオ受信機１は、携帯電話機ＭＰのバッテリを充電する際、シリコンダイオードＤ１〜Ｄ４と内蔵２次電池３１によって決まる第１充電電圧Ｖ２Ａによって充電するので、図７に示すように、電源Ｐに対してシリコンダイオードＤ１〜Ｄ４及び内蔵２次電池３１が直列接続された回路と等価になり、電源ＰからシリコンダイオードＤ１〜Ｄ４及び内蔵２次電池３１によって決まる第１充電電圧Ｖ２Ａに応じた充電電流により携帯電話機ＭＰのバッテリを充電する。
【００４５】
（３）動作及び効果
以上の構成において、手動発電機付きラジオ受信機１は、ラジオ機能を停止して、スイッチ回路ＳＷ２をオン状態にした場合、シリコンダイオードＤ１〜Ｄ４による負荷及び内蔵２次電池３１の負荷に応じて決まる第１充電電圧Ｖ２Ａを携帯電話機ＭＰに対して用いることができる。
【００４６】
この場合、手動発電機付きラジオ受信機１は、シリコンダイオードＤ１〜Ｄ４の直列接続によって、これを用いない場合の第２充電電圧Ｖ２ＢよりもシリコンダイオードＤ１〜Ｄ４を直列接続した分だけ昇圧した第１充電電圧Ｖ２Ａを生成することが出来るので、当該携帯電話機ＭＰの充電電圧レベルに対応させることができる。
【００４７】
また手動発電機付きラジオ受信機１は、ラジオ機能を動作させて、スイッチ回路ＳＷ２をオフ状態にした場合、逆流防止ダイオードＤ０及び内蔵２次電池３１の負荷に応じて決まる第２充電電圧Ｖ２Ｂを内蔵２次電池３１に対して用いることができるので、このときは携帯電話機ＭＰではなく内蔵２次電池３１の充電電圧レベルに対応させることが出来る。
【００４８】
すなわち手動発電機付きラジオ受信機１は、従来のように、抵抗分割によって分圧したり、昇圧回路を用いて昇圧することなく、電源・バンドスイッチ６の切換え操作だけで、内蔵２次電池３１及び携帯電話機ＭＰのバッテリに合わせた２種類の充電電圧を効率的に生成することができ、かくして簡易な構成で２種類の充電電圧を効率良く生成して携帯電話機ＭＰ又は内蔵２次電池３１を充電することができる。
【００４９】
なお手動発電機付きラジオ受信機１は、携帯電話機ＭＰのバッテリを充電する場合、シリコンダイオードＤ１〜Ｄ４による負荷及び内蔵２次電池３１の負荷に応じて決まる第１充電電圧Ｖ２Ａを携帯電話機ＭＰに対して用いるようになされており、このことは発電機ＧＥＮによる電圧レベルに加えて内蔵２次電池３１の電圧レベルをも携帯電話機ＭＰのバッテリ充電用に使用することを意味する。
【００５０】
従って手動発電機付きラジオ受信機１は、携帯電話機ＭＰを充電する際、内蔵２次電池３１の電圧レベルについても併用することが出来るため、ユーザが発電機ＧＥＮの充電用ハンドル３を回転操作させる際の負荷を大幅に軽減し、短時間で携帯電話機ＭＰを充電することができる。
【００５１】
その際、手動発電機付きラジオ受信機１は、シリコンダイオードＤ１〜Ｄ４による負荷及び内蔵２次電池３１の負荷に応じて決定される第１充電電圧Ｖ２Ａが携帯電話機ＭＰに対して用いられることになり、その内蔵２次電池３１をリミッターとして機能させることにもなるので、例え充電用ハンドル３がユーザによって高速度に回転操作されたとしても、第１充電電圧Ｖ２Ａの電圧レベルを内蔵２次電池３１の電圧レベルよりも遥かに高くなることがなく、携帯電話機ＭＰのバッテリを過充電してしまうことを防止することができる。
【００５２】
さらに手動発電機付きラジオ受信機１は、携帯充電端子Ｔ２及びラジオ接続端子Ｔ１間の逆流防止ダイオードＤ０に対して電界効果トランジスタＦＥＴを直列接続するようにしたことにより、バイポーラトランジスタを直列接続するよりも電界効果トランジスタＦＥＴの方がその構造的に電流を流し易く（ドレインーソース間の内部抵抗が低い）、内蔵２次電池３１を効率良く充電することができる。
【００５３】
以上の構成によれば、手動発電機付きラジオ受信機１は、シリコンダイオードＤ１〜Ｄ４による負荷及び内蔵２次電池３１の負荷に応じて決まる第１充電電圧Ｖ２Ａと、逆流防止用ダイオードＤ０及び内蔵２次電池３１の負荷に応じて決まる第２充電電圧Ｖ２Ｂとが電源・バンドスイッチ６と連動したスイッチ回路ＳＷ１及びＳＷ２の動作に応じて切り換わるようにしたことにより、簡易な構成で内蔵２次電池３１又は携帯電話機ＭＰに対する２種類の充電電圧を効率良く生成して充電することができる。
【００５４】
（４）他の実施の形態
なお上述の実施の形態においては、携帯充電端子Ｔ２及びラジオ接続端子Ｔ１間にシリコンダイオードＤ１〜Ｄ４を直列に４個接続するようにした場合について述べたが、本発明はこれに限らず、携帯充電端子Ｔ２を介して外部接続される携帯電話機ＭＰのバッテリに対する充電電圧に合わせてその他種々の個数のシリコンダイオードを直列に接続するようにしても良い。
【００５５】
また上述の実施の形態においては、ラジオ機能を動作させて内蔵２次電池３１を充電するときの経路中に逆流防止用ダイオードＤ０を用いるようにした場合について述べたが、本発明はこれに限らず、逆流防止用ダイオードＤ０を用いることなく３相全波整流回路３２から供給される直流電流によって内蔵２次電池３１を充電するようにしても良い。
【００５６】
さらに上述の実施の形態においては、手動発電機付きラジオ受信機１に対して充電対象の外部接続される電子機器として携帯電話機ＭＰを用いるようにした場合について述べたが、本発明はこれに限らず、携帯型のポータブルミュージックプレーヤー等のその他種々の電子機器を外部接続して充電するようにしても良い。
【００５７】
さらに上述の実施の形態においては、２次電池としてニッケル水素からなる内蔵２次電池３１を用いるようにした場合について述べたが、本発明はこれに限らず、リチウムイオンやその他種々の構造でなる内蔵２次電池３１を用いるようにしても良い。
【００５８】
さらに上述の実施の形態においては、切換回路としてスイッチ回路ＳＷ１及びＳＷ２を用いるようにした場合について述べたが、本発明はこれに限らず、スイッチ回路ＳＷ１におけるスイッチＳＷ１Ｂとスイッチ回路ＳＷ２とを一体化させて用いるようにしても良い。
【００５９】
さらに上述の実施の形態においては、複数のシリコンダイオードＤ１〜Ｄ４を直列接続することによって第２充電電圧Ｖ２Ｂよりも昇圧した第１充電電圧Ｖ２Ａを生成するようにした場合について述べたが、本発明はこれに限らず、複数のツェナーダイオードを直列接続することによって第２充電電圧Ｖ２Ｂよりも昇圧した第１充電電圧Ｖ２Ａを生成するようにしても良い。この場合、シリコンダイオードＤ１〜Ｄ４が温度上昇により順方向電圧が減少し易いのに対して、温度変化に対して電圧変化が少ない安定した第１充電電圧Ｖ２Ａを生成することができる。
【００６０】
さらに上述の実施の形態においては、複数のシリコンダイオードＤ１〜Ｄ４を介して内蔵２次電池３１に充電電流を流し込むか否かを切り換えるためのスイッチング素子として電界効果トランジスタＦＥＴを用いるようにした場合について述べたが、本発明はこれに限らず、バイポーラトランジスタを用いるようにしても良い。
【産業上の利用可能性】
【００６１】
本発明の充電装置は、例えば手巻き回転操作による自家発電可能な携帯型のオーディオプレーヤ等に適用することができる。
【図面の簡単な説明】
【００６２】
【図１】手動発電機付きラジオ受信機の正面構成を示す略線的斜視図である。
【図２】手動発電機付きラジオ受信機の背面構成を示す略線的斜視図である。
【図３】充電動作の説明に供する略線図である。
【図４】携帯電話機との接続状態を示す略線図である。
【図５】手動発電機付きラジオ受信機の回路構成を示す略線的ブロック図である。
【図６】内蔵２次電池を充電する場合の等価回路を示す略線的回路図である。
【図７】携帯電話機を充電する場合の等価回路を示す略線的回路図である。
【符号の説明】
【００６３】
１……手動発電機付きラジオ受信機、２……本体部、３……充電用ハンドル、４……選局ダイヤル、５……音量ダイヤル、６……電源・バンドスイッチ、７……ライト切換スイッチ、８……ソフトライト、９……スポットライト、１１……電源切換スイッチ、１２……端子カバー、２３……プラグ付コード、３１……内蔵２次電池、３２……３相全波整流回路、Ｔ１……ラジオ接続端子、Ｔ２……携帯充電端子、ＳＷ１、ＳＷ２……スイッチ回路、Ｄ１〜Ｄ４……シリコンダイオード、ＦＥＴ……電界効果トランジスタ、ＴＲ……バイポーラトランジスタ。
【図１】
2007330024.tif 000004
【図２】
2007330024.tif 000005
【図３】
2007330024.tif 000006
【図４】
2007330024.tif 000007
【図５】
2007330024.tif 000008
【図６】
2007330024.tif 000009
【図７】
2007330024.tif 000010